(57)【要約】【課題】１枚のよこメリヤス編地を使用して、肘又は膝の屈伸に対し全体に均一に密着できて着用したときの心地を良くし、必要に応じて手の方へずらせても着用でき、かつ薄くて軽くて携帯に便利な保温性のあるサポーターにすることである。【解決手段】発熱繊維からなる１枚のよこメリヤス編地を用い、肘又は膝の関節部において屈曲する外側を、前記よこメリヤス編地の編目が横（コース方向）に並んで伸縮率の高い方の編地を横地即ち外側布２とし、屈曲する内側を同じよこメリヤス編地による編目が縦（ウエール方向）に並んで伸縮率の低い方の編地を縦地即ち内側布３とすると共に、その下部３３の親指側位置に親指挿入用スリット７を設け、これら外側布２と内側布３とを長手方向に縫合５し筒状にしてサポーター１を構成する。【選択図】　　　　　　図１
2004060134.tif 000002
【特許請求の範囲】
【請求項１】
発熱繊維からなる１枚のよこ編メリヤスの平編地を用い、肘又は膝の屈曲する外側を、上記平編地における伸縮率の高いコース方向を長手方向に用いた編地を外側布とし、屈曲する内側を、上記同じ編地による伸縮率の低いウエール方向を長手方向に用いた編地を内側布として、両者を長手方向に逢合して筒状体にし、上記内側布の下部でかつ長手方向の縫合部近くの親指挿入位置に、親指挿入用スリットを設けたことを特徴とするサポーター。
【請求項２】
内側布が、その上部を下部よりやや広くした紡錘形であり、外側布が、上部を下部よりやや広くし、かつ上記内側布の紡錘形に対応して両側が湾曲したことを特徴とする請求項１記載のサポーター。
【発明の詳細な説明】
【０００１】
【発明の属する技術分野】
本発明は、肘や膝を保温したり緊締する医療用又はスポーツ用のサポーターに関するものである。
【０００２】
【従来の技術】
従来膝や肘部の関節を医療用またはスポーツ用に使用するサポーターは、よこ編メリヤスの平編地（以下、「よこメリヤス編地」という。）の経方向を長手方向（以下、「長手方向」という。）とする筒状体とし、その一部が経方向を上記筒状体の長手方向と直交させて筒状に形成したサポーター（例えば、実開平７−４０７２２公報参照）、また、折り曲げ時に内側に皺が生じて着用感が悪く、また、靴下の踵部と同様に関節の折曲げ外側部に膨出部を形成したもの（例えば、実用新案登録第３０５５７２３号公報参照）、あるいは複数本の糸を揃えて編み、折曲げ内部を編む時だけ糸数を減らし、この部分を薄くし縮みやすく形成したもの（例えば、実公昭５６−４６７７８号公報参照）等が知られている。
【０００３】
【発明が解決しようとする課題】
上記既に知られたサポーターにおいて、上記前者（実開平７−４０７２２公報参照）のサポーターは、発熱繊維による保温性はは無いし、また、膝や肘にのみ着用するだけである。
【０００４】
また、上記中者（実用新案登録第３０５５７２３号公報参照）の関節の折曲げ外側部に膨出部を形成したサポータでは、関節を真直ぐにしたとき、膨出部がそのまま膨出してしまい関節部の肘又は膝の頂頭部に密着しないので、着用感が悪くまた身体の整容上形が好ましくない。また、発熱繊維を用いておらず、膝や肘にのみ着用するだけである。
【０００５】
また、上記後者（実公昭５６−４６７７８号公報参照）の複数本の糸を揃えて編み、折曲げ内部を編む時だけ糸数を減らし、この部分を薄くし縮みやすく形成したサポータでは、単に複数の糸の糸数を減らし薄くしただけでは、周囲の部分で糸が切れているためほつれやすい欠点がある。また、発熱繊維を用いておらず、膝や肘にのみ着用するだけである。
【０００６】
本発明は、上記従来の技術のこのような課題に鑑みて改善したもので、発熱繊維を用いて編成した１枚のよこメリヤス編地を使用して、肘又は膝の屈伸に対し全体に均一に密着できて着用したときの心地を良くし、かつ、薄くて軽くて携帯に便利な保温サポーターにするとともに、必要に応じて手の方にも着用できるサポーターを提供することを目的とするものである。
【０００７】
【課題を解決するための手段】
上記目的を達成するために、本発明におけるサポーターは、発熱繊維例えば「エクス」（東洋紡の登録商標、以下「発熱繊維」という。）等からなるよこメリヤス編地を用い、肘又は膝の関節部において屈曲する外側を前記よこメリヤス編地の伸縮率の高いコース方向の編地（以下、「横地」という。）を長手方向に用いて外側布とし、屈曲する内側を上記同じ編地による伸縮率の低いウエール方向の編地（以下、「縦地」という。）を長手方向に用いて内側布とし、両者を長手方向に逢合して筒状にし、その内側布の下部でかつ長手方向の縫合部近くの親指挿入位置に、親指挿入用スリットを設けたことを特徴とするものである。
【０００８】
また、内側布が、その上部を下部よりやや広くした紡錘形であり、外側布が、上部を下部よりやや広くし、かつ上記内側布の紡錘形に対応して両側が湾曲したことを特徴とするものである。
【０００９】
また、発熱繊維を用いて編成したよこメリヤス編地を使用することによって、保温性が高く、薄くて軽くて携帯に便利にしたことを特徴とするサポーターである。
【００１０】
【発明の実施の形態】
発明の実施の形態を実施例にもとづき図面を参照して説明する。
図１ないし図５は、本発明の一実施例に係わるものであり、図１は本発明のサポーターの平面図、図２は図１における横地と縦地とレースとの縫合部分の拡大図、図３はサポーターにおける外側布である横地と、内側布である縦地の展開図、図４はサポーターの使用状態を示す説明概略図で、（Ａ）は自然に置いた状態の図、（Ｂ）は着用し関節を伸ばした状態の図、（Ｃ）は関節を最も屈曲した状態の図、図５はサポーターを実際に肘に着用した場合の状態を示す説明図で、（イ）は肘に着用した状態の側面図、（ロ）は肘から手へずらして着用した状態の側面図、（ハ）は手に着用した状態の平面図である。
【００１１】
本発明におけるサポーターは、身体から蒸発する水分及び熱等により発熱する発熱繊維を用いたよこメリヤス編地において、編目が横（コース方向）に並んで伸縮率の高い方の編地を上記横地として肘又は膝の屈曲する関節（以下、肘又は膝全体を含めて「関節」という。）の外側の外側布にし、編目が縦（ウエール方向）に並んで伸縮率の低い方の編地を上記縦地として同じく関節の内側の内側布にして、両者の編地の編目が直角に対向するように縫合して筒状にした肘用又は膝用サポータである。
【００１２】
以下図１及び図２において、身体から蒸発する水分及び熱等により発熱する発熱繊維を用いた１枚のよこメリヤス編地を用いたもので、１はサポーター本体で、２は関節の外側布である横地（以下、「外側布２」という。）、３は関節の内側布である縦地（以下、「内側布３」という。）であり、４はレースで、これら外側布２と内側布３とを縫合して縫合部５とし、縫合され筒状になった両端にそれぞれレース４，４を縫着して縫着部６、６とし、さらに内側布３の下部３３における縫合部５側近くの親指挿入位置に、親指挿入用のスリット７を設け、その周りをほつれ止めしたサポーター１である。
【００１３】
図３において、サポーター１における外側布２と、内側布３の展開図で、外側布２は、肘又は膝上部２２の横の幅Ａが肘又は膝下部２３の横の幅Ａ−ａより広く、また外側布２の縦の長さがＢであり、かつその両側が内側布３の紡錘形に対応して肘又は膝部２１にかけ湾曲している。他方内側布部３は、肘又は膝上部３２の横の幅Ｃが肘又は膝下部３３の横の幅Ｃ−ｃより広く、また内側布３の縦の長さが外側の縦の長さＢよりＢ−ｂ短く、かつその両側が徐々に膨出し紡錘形を成すもので、これら両者即ち外側布２と内側布３とを縦方向に縫合５することによって、肘部分又は膝部分の体形に対応した筒状のサポーター１を構成するものである。
【００１４】
そして、上記のように構成されたサポーター１は、図４におけるサポーターの自然状態と着用状態とを示した概略図に示されるように、
（Ａ）は自然に置いた状態の図で、外側布２の縦の長さＢが内側布３の縦の長さＢ−ｂより長い為、縫合寸法の差により全体に少し湾曲している。
【００１５】
（Ｂ）は着用し関節を伸ばした状態の図で、関節における外側布２は長手方向に編目が少々収縮し、他方内側布３は逆に長手方向に引っ張られて編目が伸びるので、全体としてのサポーター１はストレートに近い状態となる。
【００１６】
（Ｃ）は関節を最も屈曲した状態の図で、関節における外側布２は伸縮率が高いので、肘又は膝の最大の引っ張力によりその上下部２２，２３方向からの引っ張り応力に応じて編目が最大に伸張し、他方の内側布３は逆に最大に圧縮され、その上下部３２，３３方向からの圧縮応力に応じて編目は短縮し、全体として最も屈曲したサポーター１となる。
【００１７】
以上のような構成からなるさポーター１であるので、図４における（Ａ）のような肘又は膝用サポーター１は、その上部２２及び３２で構成される挿入口から腕又は足を挿入し、所定の位置に着用するものである。（Ｂ）及び（Ｃ）は上記同様腕又は足の関節を伸ばしたり最大に屈曲するのに対応して、サポーター１を肘部又は膝部に密着できるようにしている。
【００１８】
また、さらに必要に応じて、サポーター１を図５に示すように、（イ）における肘部のＡ−Ａから（ロ）及び（ハ）における手の方へずらして、手袋又は手覆いとする場合、内側布３の肘下部３３における縦縫合部５近くの親指挿入位置に、親指挿入用スリット７を設けてサポーター１を手の所定の位置に掛止できるように構成している。なお、親指挿入用スリット７は、スリット状で目立たないので、膝用サポーターにあっても差し支えない。
【００１９】
【発明の効果】
本発明は、以上説明したように構成されているので、以下に記載されるような効果を奏する。
【００２０】
発熱繊維からなる１枚のよこメリヤス編地を用い、肘又は膝の屈曲する外側を、前記よこメリヤス編地の伸縮率の高い編目がコース方向に並んだ編地を外側布とし、屈曲する内側を同じよこメリヤス編地による伸縮率の低い編目がウエール方向に並んだ編地を内側布として、両者を長手方向に縫合して筒状にしたので、１枚のよこメリヤス編地だけでその編目の並び方向による伸縮率の違いを利用することによって、肘又は膝の屈伸の変化に充分対応でき、しかも薄くて軽くて携帯に便利で、発熱繊維の特性を生かし、身体の水分蒸発に伴う発熱と保温性のあるサポーターができる。
【００２１】
また、内側布の下部でかつ長手方向の縫合部近くの親指挿入位置に、親指挿入用スリットを簡単に設けただけで、寒いときは手袋用として、また、日差しの強いときには手覆用として、図５に示すようにサポーターを手の甲の方にずらせて親指を親指挿入用スリット７に挿入するだけで、手袋用として、また手覆い用として、何れにも利用でき汎用性がある。また、親指挿入用スリット７の位置を特定することによって、手の動きが内側に殆ど多く屈曲することに伴い充分対応できるので、着用し易くすることができる。また、サポーターの上下両端にレースを縫着すれば、手袋又は手覆いとしてのファッション性があって体裁が良いので、利用者の着用心を高揚することもできる。
【００２２】
内側布が、その上部を下部よりやや広くした紡錘形であり、外側布が、上部を下部よりやや広くし、かつ上記内側布の紡錘形に対応して両側が湾曲したので、肘又は膝における体形にマッチし、それらの屈伸運動に対応して関節部分に常時密着して皮膚や、筋肉を適度に緊迫して刺激し、医療用またスポーツ用として利用できるとともに、ずれ落ちることもなく着用心地が良い。
【００２３】
【図面の簡単な説明】
【図１】図１は、本発明の一実施例に係るサポーターの平面図である。
【図２】図２は、図１における外側布２と内側布３とレース７との縫合部５，６部分の拡大図である。
【図３】図３は、サポーター１における外側布２と内側布３の展開図である。
【図４】図４は、サポーターを肘に用いた場合の使用状態を示す説明外略図で、（Ａ）は自然に置いた状態の図、（Ｂ）は着用し関節を伸ばした状態の図、（Ｃ）は関節を最も屈曲した状態の図である。
【図５】図５は、サポーターを実際に着用した状態を示す説明図で、（イ）は肘に着用した状態の側面図、（ロ）は肘から手へずらして着用した状態の側面図、（ハ）は手に着用した状態の平面図である。
【符号の説明】
１　　サポーター
２　　外側布
３　　内側布
４　　レース
５　　長手縫合部
６　　横縫合部
７　　親指挿入用スリット
２１　　外側布の肘又は膝頂頭部
２２　　外側布の肘又は膝上部
２３　　外側布の肘又は膝下部
３１　　内側布の肘又は膝頂頭部
３２　　内側布の肘又は膝上部
３３　　内側布の肘又は膝下部
Ａ　　外側布の肘又は膝上部の幅
Ａ−ａ　外側布の肘又は膝下部の幅
Ｂ　　外側布の長さ
Ｂ−ｂ　内側布の長さ
Ｃ　　内側布の肘又は膝上部の幅
Ｃ−ｃ　内側布の肘又は膝下部の幅
【図１】
2004060134.tif 000003
【図２】
2004060134.tif 000004
【図３】
2004060134.tif 000005
【図４】
2004060134.tif 000006
【図５】
2004060134.tif 000007